(57)【要約】      （修正有）【課題】開封した場合には必ずケース本体及び蓋体にその痕跡が残り、かつ、開封された封印部材が基板ケースから分離しないようにした基板ケースの封止構造を提供する。【解決手段】蓋体の一側に蓋体側ブリッジを介して封印部材の挿通部を設け、ケース本体１の一側の底部１２には前記挿通部に挿し込まれて突出された封印部材の挿入孔を設け、この挿入孔の上方にはケース本体側ブリッジを介して前記挿通部５を覆うカバー部材３を設けたうえに、ケース本体側ブリッジを蓋体側ブリッジを覆うように形成して、蓋体側ブリッジの単独切断を不可能とした。さらに、ケース本体１の一側に前記挿入孔を有する筒状部６３を設け、この筒状部６３を接続片６４を介してケース本体１の底部１２と接続した。【選択図】図５
2009172026.tif 000002
【特許請求の範囲】
【請求項１】
蓋体の一側に蓋体側ブリッジを介して蓋体側錠止部を設け、ケース本体の一側には、蓋体側錠止部と係合するケース本体側錠止部と、蓋体側錠止部を覆うカバー部とを設けたうえに、
前記カバー部を、蓋体側ブリッジを覆うように形成したケース本体側ブリッジを介してケース本体の一側に設けて、蓋体側ブリッジの単独切断を不可能としたことを特徴とする基板ケースの封止構造。
【請求項２】
ケース本体側錠止部を接続片を介してケース本体の底面と連結した請求項１に記載の基板ケースの封止構造。
【請求項３】
蓋体の一側に蓋体側ブリッジを介して封印部材の挿通部を設け、ケース本体の一側の底部には前記挿通部に挿入されて押圧された封印部材の挿入孔を設け、この挿入孔の上方にはケース本体側ブリッジを介して前記挿通部の上部開口を覆うカバー部材を設けたうえに、
ケース本体側ブリッジを蓋体側ブリッジを覆うように形成して、蓋体側ブリッジの単独切断を不可能としたことを特徴とする基板ケースの封止構造。
【請求項４】
ケース本体の一側に前記挿入孔を有する筒状部を設け、この筒状部の側面を接続片を介してケース本体の底面と連結した請求項３に記載の基板ケースの封止構造。
【請求項５】
カバー部材の上面に、封印部材押圧用の工具差し込み孔を設けた請求項３又は４に記載の基板ケースの封止構造。
【発明の詳細な説明】
【技術分野】
【０００１】
本発明は、回路基板を収納するための遊技機の基板ケースの封止構造に関するものである。
【背景技術】
【０００２】
パチンコ機やスロットマシン等の遊技機においては、入賞確率が書き込まれたＲＯＭチップ等の電子部品を実装した回路基板が使用されているが、この回路基板は、ケース本体とケース本体の開口部を覆う蓋体とからなる基板ケースに収納されている。基板ケースには、内部のＲＯＭチップを交換して不当な利益を得ようとするのを防止するために、蓋体の開放を不可能とする封止構造が設けられている。
【０００３】
従来の封止構造を備えた基板ケースとして、例えば特許文献１に記載されたものがある。このものは、蓋体がケース本体に対して組み付けられた状態で、ケース側筒部と蓋側筒部のそれぞれの内部空間が繋がった状態に位置せしめられるようにすると共に、これらケース側筒部と蓋側筒部とに跨って挿入されるスプリングピンを、ケース側筒部と蓋側筒部の少なくとも一方に対して嵌めて、ケース本体と蓋体とを固定したものである。
【０００４】
しかしながら、上記したものにおいては、蓋側筒部と蓋体とを連結している取付片をニッパー等で切断するだけで開封することができるので、ケース本体側には開封した痕跡が残らない。そのため、例えば、ケース本体を破壊して開封し不正なＲＯＭと交換したのちに使用されなくなった遊技機から取り出した無傷のケース本体を用いると、不正に開封された基板ケースであることの判別がつかない、といった問題があった。
【０００５】
また、特許文献２には、第１封印部材と第２封印部材でもってケース本体に蓋体を封印する基板ケースの錠止構造が記載されている。このものにおいては、ケース本体のブリッジと蓋体のブリッジとを切断するだけで開封することができるが、必ずしも両方のブリッジを切断する必要がなく片方のブリッジを切断するだけで開放が可能であるため、前記したものと同様の問題があった。さらに、両方のブリッジを切断した場合は、第１封印部材の支持部と第２封印部材の支持部とが封印部材を内包したまま基板ケースから分離してしまうので、例えば、封印部材自体を破壊して開封し不正なＲＯＭと交換したのちに、基板ケースから分離して捨てられた支持部内の無傷の封印部材を用いると不正に開封された基板ケースであることの判別ができない、という問題があった。
【特許文献１】特開２００７−２６８０６２号公報
【特許文献２】特開２００７−０６１５８２号公報
【発明の開示】
【発明が解決しようとする課題】
【０００６】
本発明は、上記した従来の問題点に鑑み、開封した場合には必ずケース本体及び蓋体にその痕跡が残り、かつ、開封された封印部材が基板ケースから分離しないようにした基板ケースの封止構造を提供するためになされたものである。
【課題を解決するための手段】
【０００７】
上記の課題を解決するためになされた本発明に係る基板ケースの封止構造は、蓋体の一側に蓋体側ブリッジを介して蓋体側錠止部を設け、ケース本体の一側には、蓋体側錠止部と係合するケース本体側錠止部と、蓋体側錠止部を覆うカバー部とを設けたうえに、
前記カバー部を、蓋体側ブリッジを覆うように形成したケース本体側ブリッジを介してケース本体の一側に設けて、蓋体側ブリッジの単独切断を不可能としたことを特徴とするものである。この発明において、ケース本体側錠止部を接続片を介してケース本体の底面と連結することができる。
【０００８】
また、本発明に係る基板ケースの封止構造は、蓋体の一側に蓋体側ブリッジを介して封印部材の挿通部を設け、ケース本体の一側の底部には前記挿通部に挿入されて押圧された封印部材の挿入孔を設け、この挿入孔の上方にはケース本体側ブリッジを介して前記挿通部の上部開口を覆うカバー部材を設けたうえに、
ケース本体側ブリッジを蓋体側ブリッジを覆うように形成して、蓋体側ブリッジの単独切断を不可能としたことを特徴とするものである。
【０００９】
上記した発明において、ケース本体の一側に前記挿入孔を有する筒状部を設け、この筒状部の側面を接続片を介してケース本体の底面と連結することができる。また、カバー部材の上面に、封印部材押圧用の工具差し込み孔を設けることができる。
【発明の効果】
【００１０】
請求項１、３にかかる発明は、ケース本体側ブリッジが蓋体側ブリッジを覆っているので、ケース本体側ブリッジを切断しないと蓋体側ブリッジを切断することができない。よって、一旦解錠された場合には、ケース本体にも蓋体にも解錠の痕跡が残ることとなる。
【００１１】
請求項２に係る発明は、ケース本体側錠止部を接続片を介してケース本体側底面と連結したので、本体側ブリッジを切断してもケース本体側錠止部はケース本体から分離しない。よって、ケース本体側錠止部に押し込まれた封印部材が基板ケースから分離されて不正に使用されることがない。
【００１２】
請求項４にかかる発明は、封止ピンが挿入される挿入孔が形成された筒状部は、ケース本体側ブリッジのほかに接続片を介してケース本体の底面と繋がっているので、本体側ブリッジを切断しても筒状部はケース本体から分離しない。よって、挿入孔に押し込まれた封印部材が基板ケースから分離されて不正に使用されることがない。
【００１３】
請求項５に係る発明は、カバー部材の上面の差し込み孔から工具を差し込んで、封印部材を押圧することができる。
【発明を実施するための最良の形態】
【００１４】
以下に、本発明の実施形態に付いて説明する。
図１、２は、本発明の基板ケースの封止構造を示す図であって、１はケース本体、２は蓋体、３は封印用のカバー部材、４は封止ピン即ち封印部材である。カバー部材３は図２に示すようにしてケース本体１に超音波溶着、接着剤などにより固定されるが、このカバー部材３はケース本体１と一体に成形してもよいものである。また、封止ピン４は樹脂製の角形の頭部４１とその下部の金属製の筒状軸部４２とからなる。そして、蓋体２またはケース本体１に遊技の状態を操作する回路基板が配設される（図示していない）。
【００１５】
蓋体２は、前方にスライドしてケース本体１に合体されるが、その先端には、図３にも示す４つの蓋体側錠止部５が蓋体側ブリッジ５１を介して設けられている。蓋体側錠止部５は角形の筒状部５２とこれに繋がる円筒部５３とからなり角形の筒状部５２には封止ピン４の頭部４１が嵌め込まれ、円筒部５３にはその軸部４２が差し込まれる。
【００１６】
ケース本体１は左右に係止爪１１を有しており（図１）、スライドされた蓋体２の両側の係止部（図示していない）と係合することにより、蓋体２が上方に抜け出すのを規制することができる。
【００１７】
また、ケース本体１は、蓋体側錠止部５に対応して４つのケース本体側錠止部６を備えている。ケース本体側錠止部６は、図４に示すように、コの字状に形成した凹部６１と、底部１２に形成された封止ピン４の嵌入孔６２とを有している。嵌入孔６２は、図５に示すように下方に延設された筒状の止まり孔となっており、この筒状部６３が接続片６４によってケース本体１の底部１２と連結されている。
【００１８】
図６にはカバー部材３の内面構造を示すが、蓋体側錠止部５の上部開口と側面を覆うように、４つのカバー部３１が横断面コの字状に形成されている。カバー部３１は、ケース本体側ブリッジ３３を介して枠体３２に接続されている。カバー部３１の上面には工具の差し込み孔３４が形成されている。したがって、図８に示すように、蓋体側錠止部５内に挿入された封止ピン４の頭部４１を工具によって押圧して、軸部４２をケース本体１の底部の嵌入孔６２に嵌め込むことによって、蓋体２をケース本体１にスライド不能に封止することができる。なお、図８においては、最も左側の封止ピン４が嵌入孔６２に嵌め込まれており、その他の封止ピン４は未使用の状態である。
【００１９】
図９、１０は、第１の実施形態の封止構造を示す図である。この形態のものにおいては、ケース本体側ブリッジ３３は蓋体側ブリッジ５１の上側に接近してこれを覆っているので、蓋体側ブリッジ５１のみを切断することは不可能である。すなわち、蓋体側ブリッジ５１を切断しようとするとケース本体側ブリッジ３３をも切断することとなって、ケース本体１にも蓋体２にも解錠された痕跡が残ることとなる。
【００２０】
また、以上のような封止構造を破壊したときには、嵌入孔６２を有する円筒部６３は接続部６４によってケース本体１と繋がったままであるので、封止ピン４はケース本体１側の嵌入孔６２に残されたままとなる。したがって、この封止ピン４を再利用して不正を働くことはできない。
【００２１】
以上のようなケース本体側ブリッジ３３と蓋体側ブリッジ５１とを、図１１、１２、１３に示すような形態のものとすることができる。図１１に示すものは、ケース本体側ブリッジ３３と蓋体側ブリッジ５１との距離を図１０のものよりさらに接近させた実施例である。図１２に示すものは、ケース本体側ブリッジ３３に凹部を形成し、蓋体側ブリッジ５１には山形突起を設けたものである。また、図１３に示すものは、ケース本体側ブリッジ３３に角形凹部を形成し、蓋体側ブリッジ５１には角形突起を設けたものである。このようにケース本体側ブリッジ３３が蓋体側ブリッジ５１を覆う部分が多いほど望ましい。図示した何れのものも、蓋体側ブリッジ５１を切断しようとするとケース本体側ブリッジ３３をも切断することとなって、ケース本体１にも蓋体２にも切断された痕跡が残ることとなる。
【図面の簡単な説明】
【００２２】
【図１】本発明に係る封止構造を備えた基板ケースの分解斜視図である。
【図２】封印用のカバー部材が取り付けられたケース本体の斜視図である。
【図３】蓋体の先端部を示す斜視図である。
【図４】ケース本体の先端部を示す斜視図である。
【図５】ケース本体を底面から示す斜視図である。
【図６】カバー部材の内面構造を示す斜視図である。
【図７】基板ケースの平面図である。
【図８】図７のＡ−Ａ線断面図であって、封止構造を示す図である。
【図９】基板ケースの先端部の平面図である。
【図１０】図９のＢ−Ｂ線断面図であって、第１の実施形態の封止構造を示す図である。
【図１１】第２の実施形態の封止構造を示す断面図である。
【図１２】第３の実施形態の封止構造を示す断面図である。
【図１３】第４の実施形態の封止構造を示す断面図である。
【符号の説明】
【００２３】
１  ケース本体、２  蓋体、３  カバー部材、４  封印部材、５  挿通部、１２  底部、３３  ケース本体側ブリッジ、５１  蓋体側ブリッジ、６２  挿入孔、６３  筒状部、６４  接続片、
【図１】
2009172026.tif 000003
【図２】
2009172026.tif 000004
【図３】
2009172026.tif 000005
【図４】
2009172026.tif 000006
【図５】
2009172026.tif 000007
【図６】
2009172026.tif 000008
【図７】
2009172026.tif 000009
【図８】
2009172026.tif 000010
【図９】
2009172026.tif 000011
【図１０】
2009172026.tif 000012
【図１１】
2009172026.tif 000013
【図１２】
2009172026.tif 000014
【図１３】
2009172026.tif 000015